(57)【要約】【課題】  ＬＥＤの光を効率よく反射させ得るとともに、施工性も良好な内照式ライトボックスの提供。【解決手段】  前面が開口するボックス本体の内部に、複数のＬＥＤとこれらＬＥＤの光を反射する反射板とが備えられ、ボックス本体の前面開口が光拡散板で覆われている内照式ライトボックスにおいて、反射板は、シート成形により底部と、この底部から立上がる側壁部とを有するトレー型に形成された反射トレーとして構成され、この反射トレーはその底部内面が前方を向くようにボックス本体内に配置され、反射トレーの側壁部の内側に前記ＬＥＤが配置されている構成。【選択図】  図１
2009176652.tif 000002
【特許請求の範囲】
【請求項１】
前面が開口するボックス本体の内部に、複数のＬＥＤと該ＬＥＤの光を反射する反射板とが備えられ、該ボックス本体の前面開口が光拡散板で覆われている内照式ライトボックスにおいて、
前記反射板は、シート成形により底部と該底部から立上がる側壁部とを有するトレー型に形成された反射トレーとして構成され、該反射トレーはその底部内面が前方を向くようにボックス本体内に配置され、反射トレーの側壁部の内側に前記ＬＥＤが配置されていることを特徴とする内照式ライトボックス。
【請求項２】
ボックス本体が前面視矩形であって該ボックス本体の形状に対応して反射トレーも前面視矩形であり、該反射トレーの四つの側壁部のうち隣合った二つの側壁部の内側に、ＬＥＤが全体として前面視Ｌ字状の配列となるよう間隔をあけながら配置されていることを特徴とする請求項１記載の内照式ライトボックス。
【請求項３】
反射トレーの底部には光拡散板に対して傾斜した傾斜面が形成され、ＬＥＤのＬ字状配列の角に対応する反射トレーの角部を一端とした対角線と直交する方向の前記傾斜面の断面は、対角線に向かって下り勾配に傾斜しているか、あるいは対角線に向かって平坦となっていることを特徴とする請求項２記載の内照式ライトボックス。
【発明の詳細な説明】
【技術分野】
【０００１】
本発明は、例えば各種の液晶表示装置、電飾看板、照明装置、壁面パネル等のバックライトとして使用される内照式ライトボックスに関する。
【背景技術】
【０００２】
壁面パネルとして使用される内照式ライトボックスには、下記特許文献１に示すものがある。
これは、ボックス本体の内部に、複数のＬＥＤとＬＥＤの光を反射する反射板とを備えている。反射板はＬＥＤの光を効率よく反射させるために底部に配置されている。そして、さらにＬＥＤの光を効率よく反射させるために、ボックス本体の内側面に別の反射板を併せて設けることが考えられる。
【特許文献１】特開２００６−２０２７２９号公報
【発明の開示】
【発明が解決しようとする課題】
【０００３】
ボックス本体の内側面に別の反射板を設ける場合には、ボックス本体の内側面に対向する形状に反射板を切断して、該内側面に固定するようにしているが、このような作業は施工性が悪い。
【０００４】
そこで本発明は、ＬＥＤの光を効率よく反射させ得るとともに、照度むらが抑えられて、施工性も良好な内照式ライトボックスの提供を目的とする。
【課題を解決するための手段】
【０００５】
本発明の内照式ライトボックスは、前面が開口するボックス本体の内部に、複数のＬＥＤと該ＬＥＤの光を反射する反射板とが備えられ、該ボックス本体の前面開口が光拡散板で覆われており、前記反射板は、シート成形により底部と該底部から立上がる側壁部とを有するトレー型に形成された反射トレーとして構成され、該反射トレーはその底部内面が前方を向くようにボックス本体内に配置され、反射トレーの側壁部の内側に前記ＬＥＤが配置されていることを特徴としている。
【０００６】
上記構成の内照式ライトボックスでは、反射トレーとして構成された反射板が、底部と底部から立上がる側壁部とを有するから、ボックス本体の内面に装着すると、ボックス本体の底面および側面の双方が一度に反射板で覆われることになり、したがってボックス本体の底面および側面に対して別々に反射板を設置する場合に比べて内照式ライトボックスの組立て施工性が良好になり、反射板は底部のみならず側壁部を有しているから、その分だけＬＥＤの光の反射効率が向上する。
【０００７】
本発明の内照式ライトボックスでは、ボックス本体が前面視矩形であって該ボックス本体の形状に対応して反射トレーも前面視矩形であり、該反射トレーの四つの側壁部のうち隣合った二つの側壁部の内側に、ＬＥＤが全体として前面視Ｌ字状の配列となるよう間隔をあけながら配置されていることを特徴としている。
【０００８】
上記構成の内照式ライトボックスでは、ＬＥＤが前面視Ｌ字状の配列となるよう配置されていることで、Ｌ字状配列の角になる部分からの配線の取廻しを楽にまとめることが可能となるから、その分だけ施工性が向上する。
【０００９】
本発明の内照式ライトボックスでは、反射トレーの底部には光拡散板に対して傾斜した傾斜面が形成され、ＬＥＤのＬ字状配列の角に対応する反射トレーの角部を一端とした対角線と直交する方向の前記傾斜面の断面は、対角線に向かって下り勾配に傾斜しているか、あるいは対角線に向かって平坦となっていることを特徴としている。
【００１０】
Ｌ字状配列のＬＥＤからの光は、特に、傾斜面の存在によってボックス本体内で乱反射されるから、内照式ライトボックスとして照度むらが抑えられ、平坦な部分ではボックス本体の底部に設置が容易である。
【発明の効果】
【００１１】
本発明の内照式ライトボックスでは、反射トレーとして構成された反射板が、底部と底部から立上がる側壁部とを有するから、ボックス本体の内面に装着すると、ボックス本体の底面および側面の双方が一度に反射板で覆われることになり、したがってボックス本体の底面および側面に対して別々に反射板を設置する場合に比べて内照式ライトボックスの組立て施工性を向上させることができ、反射板は底部のみならず側壁部を有しているから、その分だけ同じ数のＬＥＤを配置したとしてもその光の反射効率を向上させることができる。
【発明を実施するための最良の形態】
【００１２】
以下、本発明の実施形態に係る内照式ライトボックスを、図面に基づいて説明する。まず、第一の実施形態を図面に基づいて説明する。
図１は内照式ライトボックスの前板体を取外した状態での単体斜視図である。図２（ａ），（ｂ）はそれぞれ反射板の正面図および側面図、図３は背面図、図４は内照式ライトボックスの全体構成を示す断面図、図５はＬＥＤを取付ける配線板の正面図である。
【００１３】
これらの図に示すように、第一の実施形態に係る内照式ライトボックス１は、壁面パネル構造の構成部品として、家屋やショールームの壁面に沿って配置されるもので、ボックス本体３内からの光が外部へ向けて照射されることで、部屋内空間の雰囲気を向上させる。また、壁面パネル構造は、例えば、内照式ライトボックス１を複数個組合せてパネルユニットとして、該パネルユニットを壁面に沿うよう連続的に組付けて構成される。
【００１４】
内照式ライトボックス１は、ボックス本体３と、このボックス本体３の前面開口を覆う光拡散板としての前板体５と、反射板６と、配線板（基板）７と、この配線板７に設置された複数のＬＥＤ８とから構成されている。ボックス本体３、前板体５、および反射板６はそれぞれ合成樹脂から別体に形成されている。ボックス本体３は、枠体部１０と本体底部１１とから形成されている。
【００１５】
前記枠体部１０は前面視してＬ字状の第一枠体部１０Ａおよび第二枠体部１０Ｂの組合わせから前面視して略矩形（正方形）に一体的に形成されている。枠体部１０の前面は、前板体５の外周部分が当接支持される蓋掛面１２として構成される開口部分である。
【００１６】
第一枠体部１０Ａは、ＬＥＤ８を設ける側の枠体構成部分である。第一枠体部１０Ａの隅部は、前面視して円弧状に形成されている。第一枠体部１０Ａにおいて、パネルユニットを壁面に取付けた際に壁面側に位置する後部は内外二重構造となっている。
すなわち、第一枠体部１０Ａの後部は外後部１３と、外後部１３に間隔をおいてその内側に配置された内後部１４とから構成されている。内後部１４の内面は第一枠体部１０Ａの前部に一体的に形成されて、第一枠体部１０Ａの内面は段差のない平滑面とされている。外後部１３と内後部１４とは、壁面方向にほぼ等間隔に配置されたリブ１５により一体化されている。
第一枠体部１０Ａの一辺の外後部１３に、該一辺の長さ方向に離間して嵌合孔１６が対で形成されている。嵌合孔１６は隣合う内照式ライトボックス１のボックス本体３の第一枠体部１０Ａの他辺に設けた突起１７が嵌合されるものである。したがって、この内照式ライトボックス１のボックス本体３における第一枠体部１０Ａの他辺にも突起１７が形成されている。なお、突起１７は嵌合孔１６に嵌合すべく第一枠体部１０Ａの他辺の長さ方向に離間して配置されている。
第一枠体部１０Ａの二辺のそれぞれの外側前部には、第二枠体部１０Ｂ側に向けて窪む連続した帯状の凹溝２０，２１が形成されている。凹溝２０，２１のさらに前側には、凹溝２０，２１に比べて小幅の小幅溝２２，２３が、凹溝２０，２１に平行に複数本（この場合、二条の溝）形成されている。凹溝２０，２１、小幅溝２２，２３は内照式ライトボックス１どうしを組付けた状態で、装飾部材を取付けるための不図示の取付具の、そのフックを係止するのに用いられる。
【００１７】
第一枠体部１０Ａの隅部には、第二枠体部１０Ｂの隅部側に向けて凹となる取付凹部２６が形成されている。この取付凹部２６は内照式ライトボックス１における第一枠体部１０Ａの隅部どうしを中心として突起１７を嵌合孔１６に嵌合して内照式ライトボックス１を前面視矩形となるようにした際に、取付ビス２７が挿通する取付穴を形成するものである。
第一枠体部１０Ａの蓋掛面１２の外端部に沿うように、前方に突出する枠側ズレ防止突条３０が前方へ突出して形成されている。第一枠体部１０Ａの蓋掛面１２には、前板体５の裏面に形成された小孔に嵌合する小突起１７ａが一辺または他辺の長さ方向に離間して形成されている。
【００１８】
第二枠体部１０Ｂの隅部は、前面視して角状に形成されている。第二枠体部１０Ｂはその内面、外面が段差ない平滑面とされているが、小突起１７ｂが形成されている第一枠体部１０Ａの一辺に対向する一辺の外面前部には、前板体５の一辺の下方に突出するよう形成された蓋側ズレ防止片（図示せず）が外側から重なるズレ防止凹部３３が形成されている。このズレ防止凹部３３には外側に向けて突出する小突起１７ｂが一辺の長さ方向に離間して対で形成されている。前記蓋側ズレ防止片には、小突起１７ｂに嵌合する小孔が形成されている。
第二枠体部１０Ｂの隅部の前後方向途中には、パネルユニットどうしを連結するための連結具（図示せず）が挿入される連結用凹部３５が第一枠体部１０Ａの隅部に向けて窪むよう形成されている。
この連結用凹部３５の構成によって、第二枠体部１０Ｂの隅部内面には、前面視扇状の膨出部３６が中心に向かって膨出するよう形成されている。
ボックス本体３の第一枠体部１０Ａおよび第二枠体部１０Ｂの内面後端部には、枠体部を壁面にビス止めするための一対の取付片４３が複数組形成されている。
【００１９】
ここで、本体底部１１の構成について説明する。
本体底部１１は枠体部１０の内面前後方向途中に壁面に平行な薄板状に形成されている。
換言すれば、本体底部１１は、前板体５の裏面である光拡散面３７に平行に形成されており、中心に、第一枠体部１０Ａ、第二枠体部１０Ｂのそれぞれの一辺および他辺の長さ方向中心部を頂点部とする、前面視して略矩形の底穴３８が形成され、枠体部１０の内面各隅部の前後方向途中部分に、枠体部１０の内面側を底辺とし枠体部１０の中心側を斜辺とする、前面視して二等辺直角三角形の底部構成板部材４０Ａ，４０Ｂ，４０Ｃ，４０Ｄが、枠体部１０の内面各隅部に一体的に形成されている。これら底部構成板部材４０Ａ，４０Ｂ，４０Ｃ，４０Ｄの前面は、光拡散面３７に平行となるよう設けられている。
底部構成板部材４０Ａ，４０Ｂ，４０Ｃ，４０Ｄの斜辺側の両頂角部４１，４２は、隣合う底部構成板部材４０Ａ，４０Ｂ，４０Ｃ，４０Ｄの斜辺側の頂角部４１，４２と、一辺、他辺の長さ方向で所定距離（Ｌ１）だけ離隔した位置にある。
各底部構成板部材４０Ａ，４０Ｂ，４０Ｃ，４０Ｄにおいて、取付片４３の前側に対向する部位には工具を挿入可能とする切欠４４が前後に貫通するよう形成されている。
【００２０】
次に、前板体５の構成を説明する。
前述のように前板体５は光拡散板であって透光性を有する材質から形成され、枠体部１０の開口部分を塞ぐよう枠体部１０に着脱自在に取付けられる。前板体５は、少なくともその裏面（内面）を平坦・平滑な光拡散面３７とし、前板体５は光拡散面３７を有する矩形の被覆部４５と、被覆部４５の第一枠体部１０Ａ側に対向して第一枠体部１０Ａの前側に重合する重合部４６とを一体に有する。重合部４６は被覆部４５に比べて肉厚に形成されている。
【００２１】
次に、反射板６の構成を説明する。
反射板６は、シート成形により、主反射部である底部反射部４７と側部反射部４８とを有する反射トレーとして一体的に形成されている。
本発明の第一の実施形態における反射板６は、合成樹脂性のシートからなり、光反射性を有して熱成形可能な材料であれば特に制限があるものではない。しかしながら、熱成形性に優れるといった観点からは、無機充填材を５重量％以上含有する熱可塑性樹脂組成物からなるシートが好ましい。このようなシートを真空成形やプレス成形等を用いて底部反射部４７および側部反射部４８を有する反射トレーとして一体的に形成するようにした。
さらに具体的に、この反射板６に用いるシートとして次のようなシートが例示される。すなわち、酸化チタンなどの無機充填材をポリプロピレン系樹脂などの熱可塑性樹脂に含有させて押出成形によって０．２〜２ｍｍの厚みでシート化されたものであって、光線反射率が９５％以上であるシートである。より具体的には、特許第４００５１２３号公報に記載のものが例示される。
底部反射部４７は、平面部５０と斜面部５１との組合わせにより一体的に形成されて、且つ前面視略矩形（正方形）に形成され、前面視に投影した面積は、本体底部１１とほぼ等しく設定されている。これによって、底部反射部４７は本体底部１１（底部構成板部材４０Ａ〜４０Ｄ）の前面に重なるように配置することが可能になる。但し、本体底部１１の底穴３８には、斜面部５１が前側から後側に向けて挿入される。
【００２２】
ここで斜面部５１の構成について説明する。この斜面部５１は、底部反射部４７（反射トレー）の、第一枠体部１０Ａにおける角部を一端とした対角線５２上の、第一枠体部１０Ａ寄りに位置する集合点５３に対して、斜面部５１の内面５４が傾斜するように構成されている。すなわち集合点５３は配線板７（ＬＥＤ８）を設ける側である第一枠体部１０Ａの角部寄りに位置付けられている。そして、集合点５３を通るあらゆる前後方向の断面における内面５４の方向は、何れの方向の断面においても集合点５３に向かって傾斜している。
この場合、第一枠体部１０Ａにおける角部を一端とした対角線５２と直交する方向の断面が、対角線５２に向かって下り勾配となるよう傾斜し、傾斜中心である集合点５３は第一枠体部１０Ａにおける角部寄りに設定されている。また、斜面部５１は前面視して底穴３８に相対する外郭を有し、第一傾斜面５５Ａ、第二傾斜面５５Ｂ、第三傾斜面５５Ｃ、および第四傾斜面５５Ｄの四種類の傾斜面を有する。
また、第一傾斜面５５Ａ、第二傾斜面５５Ｂ、第三傾斜面５５Ｃ、および第四傾斜面５５Ｄはそれぞれ前面視して集合点５３をひとつの頂点とする三角形に形成されている。さらに、第一傾斜面５５Ａと第二傾斜面５５Ｂとの間、第二傾斜面５５Ｂと第三傾斜面５５Ｃとの間、第三傾斜面５５Ｃと第四傾斜面５５Ｄとの間、第四傾斜面５５Ｄと第一傾斜面５５Ａとの間には、前記底部構成板部材４０Ａ，４０Ｂ，４０Ｃ，４０Ｄの斜辺側の両頂角部４１，４２の前に対応する辺を底辺とする三角形部５６によって連続している。
【００２３】
集合点５３は本体底部１１の裏面よりもさらに後方に設けられ、集合点５３は枠体部の後端面よりは後方にはないように設定されている。したがって、集合点５３は底部構成板部材４０Ａ，４０Ｂ，４０Ｃ，４０Ｄと枠体部の後端面との間に位置するよう傾斜面の傾斜角度が設定されている。
底部反射部４７において斜面部５１以外の部分が平面部５０であり、この平面部５０は底部構成板部材４０Ａ，４０Ｂ，４０Ｃ，４０Ｄの前面に重合されるようにして取付けられる部分であって、平面部５０Ａ，５０Ｂ，５０Ｃ，５０Ｄから構成されて、これら平面部５０Ａ，５０Ｂ，５０Ｃ，５０Ｄはそれぞれ前面視して三角形に形成されている。
平面部５０Ａ，５０Ｂ，５０Ｃ，５０Ｄは、対角線５２に向かって平坦である。そして斜面部５１は、ほぼ平面部５０に囲まれる領域に配置され、斜面部（傾斜面）５１は平面部５０Ａ，５０Ｂ，５０Ｃ，５０Ｄの端部から後方へ向けて延び、平面部５０と一体に形成されている。
【００２４】
側部反射部４８は底部反射部４７の四辺から前方に向けて立上って、枠体部１０の内方に対向する部分であり、前面視して矩形のフレーム状に形成されている。側部反射部４８のうち、第一枠体部１０Ａに対向する部分の内面４８ａには、該内面４８ａに配線板７を沿わせて配置させるための扁平な膨出部６０が、内面４８ａから内側に膨出するよう形成されている。膨出部６０は、第一枠体部１０Ａの二辺のそれぞれの長さ方向に離間して形成されている。
このような反射板６において、前記膨出部３６に対応する隅部分は該膨出部３６を回避するよう傾斜させて、隅切部６ａを形成している。
【００２５】
配線板７，７は、細長の矩形形状に形成されており、側部反射部４８のうち第一枠体部１０Ａに対向する二辺の側部反射部４８（４８Ａ，４８Ｂ）に、それぞれ膨出部６０を介して重なるように設けられる。各配線板７，７上には複数のＬＥＤ８が配線板７の前後途中に設置され、ＬＥＤ８の間隔は、側部反射部４８（４８Ａ，４８Ｂ）の隅部４８ｃに近い側の間隔を、遠い側の間隔に比べて広げている。これは、隅部４８ｃに近い側では配線板７，７に配置されたＬＥＤ８どうしが近付くために、隅部４８ｃに遠い側ほどにはＬＥＤ８を密集させる必要はないからであり、ＬＥＤ８の数を減らす（間引きする）ことは、コスト面においても優れているからである。
このようにして、ＬＥＤ８は全体として前面視Ｌ字状の配列となるよう構成されている。
【００２６】
なお、ＬＥＤ８の間隔において、側部反射部４８の隅部４８ｃに近い側の間隔を、遠い側の間隔に比べて広げるような配置としては、隅部４８ｃに遠い側から順次広げるようにしてもよいし、所定の位置にある或るＬＥＤ８を境界のＬＥＤ８として、それより隅部４８ｃに遠い側、近い側でＬＥＤ８の間隔を変化させてもよい。
この実施形態では、側部反射部４８の隅部４８ｃに近い側に配置したＬＥＤ８の配置ピッチ（距離Ｌ２間に一定のピッチで配置されている）に比べて、側部反射部４８の隅部４８ｃに近い側に配置したＬＥＤ８の配置ピッチ（距離Ｌ３間に一定のピッチで配置されている）を大きくしている。
なお、側部反射部４８（４８Ａ，４８Ｂ）の隅部４８ｃに配線板７，７の配線７ａ，７ａを纏めて挿通させる挿通孔（図示せず）が形成されている。
【００２７】
上記構成において、内照式ライトボックス１において切欠４４から工具を挿入して取付片４３のビス穴にビスを挿入してこれを壁面に螺合することで第一枠体部１０Ａを壁面に固定する。続いて、配線板７，７を取付けた反射板６を第一枠体部１０Ａに取付け、蓋掛面１２として構成される開口部分に前板体５を取付けて開口部分を覆う。
このような作業を壁面パネル構造としてのパネルユニットが構成されるよう複数の内照式ライトボックス１について行う。そして、ＬＥＤ８を点灯させることで、ＬＥＤ８の光が反射板６によって内照式ライトボックス１内で反射し、前板体５の裏面である光拡散面３７によって拡散されて内照される。
【００２８】
上記のようにして内照式ライトボックス１を組立てるにあたって、反射板６は主反射部である底部反射部４７と、側部反射部４８とから、シート成形により反射トレーとして一体的に形成されているから、例えば反射板６を、隅切部６ａの位置を膨出部３６に対応させるようにして斜面部５１を底穴３８に挿入するよう、また平面部５０を底部構成板部材４０Ａ，４０Ｂ，４０Ｃ，４０Ｄに重ねるようにすれば、側部反射部４８が枠体部１０の内側に対向するよう配置されることになるから、反射板６を極めて容易にボックス本体３に装着することができる。
【００２９】
さらに、この内照式ライトボックス１では、斜面部（傾斜面）５１の存在によって、また、斜面部５１の集合点５３を対角線５２上の第一枠体部１０Ａ寄りに位置させ、ＬＥＤ８を全体として前面視Ｌ字状の配列とした構成とすることと相まって、内照式ライトボックス内でのＬＥＤ８の光の乱反射が極めて均一になり、照度むらを効果的に抑えることができることが明らかになっている。
図６は内照式ライトボックス１の模式図であり、上記第一の実施形態において、対角線５２の一端（側部反射部４８Ａ，４８Ｂの隅部４８ｃ）点Ｐ１とし、対角線５２の他端点Ｐ２とし、一端点Ｐ１と他端点Ｐ２との間の点を中間点Ｐとし、中間点Ｐと一端点Ｐ１との間に集合点５３を設けた場合を模式的に表している。この場合の中間点Ｐは、内照式ライトボックスにおける対角線どうしの交点であり、対角線５２の中点である。
【００３０】
照度むらを効果的に抑えることができる反射板６の他の実施形態として、図７〜図９（ａ），（ｂ）に示す構成であってもよい。各図において（ａ）は正面図、（ｂ）は側部反射部の隅部が右側となるように見た側面図である。
図７は第二の実施形態を示し、反射板６は、対角線５２に沿って底部反射部４７を、対角線５２に直交する断面を対角線５２に向けて下傾斜する谷折形状とし、他端点Ｐ２側から一端点Ｐ１側へ向けて下傾斜させる構成としている。
図８は第三の実施形態を示し、反射板６は、底部反射部４７の全ての内面を一端点Ｐ１側から他端点Ｐ２側へ向けて一律の勾配で傾斜させる構成としている。
図９は第四の実施形態を示し、反射板６は、底部反射部４７の全ての内面を他端点Ｐ２側から一端点Ｐ１側へ向けて一律の勾配で傾斜させる構成としている。反射板６以外の構成は図１ないし図５で示した実施形態のものと同様であるので、その説明を省略する。上記のような構成の反射板６を用いた内照式ライトボックであっても、照度むらを効果的に抑えることができる。
【００３１】
図１０（ａ），（ｂ）および図１１（ａ），（ｂ）に、比較例とする内照式ライトボックス（反射板）を示す。各図において（ａ）は正面図、（ｂ）は側部反射部の隅部が右側となるように見た側面図である。
図１０は比較例１であり、これは、底部反射部４７の内面全てを何れの方向へも傾斜させることなく、光拡散面３７に平行となるよう構成している。
図１１は比較例２であり、これは、対角線５２に沿って底部反射部４７を、対角線５２に直交する断面を対角線５２に向けて上傾斜する山折形状とし、他端点Ｐ２側から一端点Ｐ１側へ向けて下傾斜させる構成としている。
図７ないし図９に示す実施形態において、反射板６以外の構成は図１ないし図８で示した第一の実施形態のものと同様であるので、その説明を省略する。また図１０および図１１の比較例においても、反射板６以外の構成は第一の実施形態のものと同様である。
ここで、下記〔表１〕は、内照式ライトボックスの照度（ｌｘ：ルクス）について測定を行い、照度むらについて計算した結果を示している。
【００３２】
【表１】
2009176652.tif 000003
【００３３】
ここで、上記照度測定実験における照度の測定方法について説明する。
室温２０°Ｃ、湿度６０％ＨＲの環境下における照度０ルクスの暗室内で、ＬＥＤ８を所定時間（この場合、１時間だけ）点灯後に、前板体５上の、所定位置の複数の照度測定ポイントに照度計を直接的に当てて所定位置での照度を計測した。
ここで所定位置として、対角線５２上の中間点Ｐから上下・左右方向に均等に区分した二十五箇所のポイントとし、各ポイント間の距離を２Ｚとして、外側のポイントから枠体部１０までの距離を２Ｚの半分（Ｚ）となる設定としている。
また、照度むらとは、二十五箇所のポイントにおける最大照度の値から最小の値を減じた結果であり、これは光の明暗の指標となる。
【００３４】
上記〔表１〕を参照して、第一の実施形態〜第四の実施形態では、比較例１および比較例２に比べて照度むらが低く抑えられていることが分かる。特に、第一の実施形態のように、斜面部（傾斜面）５１の存在によって、また、斜面部５１の集合点５３を対角線５２上の第一枠体部１０Ａ寄りに位置させ、ＬＥＤ８を全体として前面視Ｌ字状の配列とした構成とすることと相まって、内照式ライトボックス内でのＬＥＤ８の光の乱反射が極めて均一になり、照度むらを効果的に抑えることができることが明らかになっている。
【００３５】
上記〔表１〕から、本願実施形態における内照式ライトボックス１では、斜面部（傾斜面）５１を設けたこと、斜面部５１の集合点５３を対角線５２上の第一枠体部１０Ａ寄りに位置させたこと、ＬＥＤ８を全体として前面視Ｌ字状の配列とした構成としたこと等が相まって、内照式ライトボックス内でのＬＥＤ８の光の乱反射が極めて均一になり、比較例に比べて、照度むらを効果的に抑えられていることができることが明らかになっている。すなわち、照度の平均は小さくなくても、照度むらの値が「１５１０」と、最も小さくなっていることが分かる。
【００３６】
このように、本願実施形態における内照式ライトボックス１では使用者等に安定した心地よい状態の照度の灯りを付与することができる。
さらに、照度むらを効果的に抑える構成として、集合点５３を対角線５２上の第一枠体部１０Ａ寄りに位置さることで、主反射部である底部反射部４７におけるＬＥＤ８の光が集中し易い位置に、第一傾斜面５５Ａに比べて面積の大きな第四傾斜面５５Ｄが存在していることが、ＬＥＤ８の光をいっそう均等に乱反射させ得る構成となっていると考えられる。なお、例えば集合点５３は、一端点Ｐ１と他端点Ｐ２を略三等分した位置の一端点Ｐ１側の位置である。
【図面の簡単な説明】
【００３７】
【図１】本発明の第一の実施形態を示す内照式ライトボックスの前板体を取外した状態での単体斜視図
【図２】同じく（ａ），（ｂ）はそれぞれ反射板の正面図および側面図
【図３】同じく背面図
【図４】同じく内照式ライトボックスの全体構成を示す断面図
【図５】同じくＬＥＤを取付ける配線板の正面図
【図６】同じく内照式ライトボックスの模式図
【図７】本発明の第二の実施形態の内照式ライトボックスの模式図であり、（ａ）は正面図、（ｂ）は側部反射部の隅部が右側となるように見た側面図
【図８】本発明の第三の実施形態の内照式ライトボックスの模式図であり、（ａ）は正面図、（ｂ）は側部反射部の隅部が右側となるように見た側面図
【図９】本発明の第四の実施形態の内照式ライトボックスの模式図であり、（ａ）は正面図、（ｂ）は側部反射部の隅部が右側となるように見た側面図
【図１０】比較例１の内照式ライトボックスの模式図であり、（ａ）は正面図、（ｂ）は側部反射部の隅部が右側となるように見た側面図
【図１１】比較例２の内照式ライトボックスの模式図であり、（ａ）は正面図、（ｂ）は側部反射部の隅部が右側となるように見た側面図
【符号の説明】
【００３８】
１…内照式ライトボックス、３…ボックス本体、５…前板体、６…反射板、７…配線板、７ａ…配線、８…ＬＥＤ、１０…枠体部、１０Ａ…第一枠体部、１０Ｂ…第二枠体部、１１…本体底部、１２…蓋掛面、１３…外後部、１４…内後部、４０Ａ，４０Ｂ，４０Ｃ，４０Ｄ…底部構成板部材、４１，４２…頂角部、４５…被覆部、４６…重合部、４７…底部反射部、４８…側部反射部、４８Ａ，４８Ｂ…側部反射部、５０Ａ，５０Ｂ，５０Ｃ，５０Ｄ…平面部、５１…斜面部、５２…対角線、５３…集合点、５４…内面、５５Ａ…第一傾斜面、５５Ｂ…第二傾斜面、５５Ｃ…第三傾斜面、５５Ｄ…第四傾斜面、５６…三角形部、６０…膨出部、Ｐ…中間点、Ｐ１…一端点、Ｐ２…他端点
【図１】
2009176652.tif 000004
【図２】
2009176652.tif 000005
【図３】
2009176652.tif 000006
【図４】
2009176652.tif 000007
【図５】
2009176652.tif 000008
【図６】
2009176652.tif 000009
【図７】
2009176652.tif 000010
【図８】
2009176652.tif 000011
【図９】
2009176652.tif 000012
【図１０】
2009176652.tif 000013
【図１１】
2009176652.tif 000014